(57)【要約】【課題】剥離しやすいラベルの構造の提供。【解決手段】本考案のラベルの剥離構造は、ラベル被着体及びラベル被着体の表面に貼り付けるラベル本体を含み、主に、前記ラベル被着体とラベル本体の間にラベル本体の被覆面から露出された剥離代を設け、前記露出部分に剥離の施力部位を形成し、且つ、剥離過程の経路で前記ラベル本体を破壊し、前記ラベルを剥離しやすくすると同時に偽造を防止することができる。【選択図】図２
0003137013.tif 000002
【実用新案登録請求の範囲】
【請求項１】
ラベルの剥離構造であって、ラベル被着体及び前記ラベル被着体の表面に貼り付けられるラベル本体を含み、そのうち、前記ラベル被着体とラベル本体の間にラベル本体の被覆面から露出された剥離代を設けたことを特徴とする、ラベルの剥離構造。       
【請求項２】
前記ラベル被着体が瓶であることを特徴とする、請求項1に記載のラベルの剥離構造。
【請求項３】
前記剥離代が片状であることを特徴とする、請求項1に記載のラベルの剥離構造。     
【請求項４】
前記剥離代が線状であることを特徴とする、請求項1に記載のラベルの剥離構造。
【請求項５】
前記剥離代がラベル被着体上に露出される部分がすべてラベル被着体に貼り付けられていることを特徴とする、請求項1に記載のラベルの剥離構造。        
【請求項６】
前記剥離代がラベル被着体上に露出される部分が一部ラベル被着体に貼り付けられていることを特徴とする、請求項1に記載のラベルの剥離構造。
【請求項７】
前記ラベル本体が箔押し、印刷、エンボスなどのラベル群のうちのいずれかである、ことを特徴とする、請求項1に記載のラベルの剥離構造。     
【請求項８】
前記印刷ラベルが冷轉印ラベルであることを特徴とする、請求項７に記載のラベルの剥離構造。
【請求項９】
前記剥離代の表面にレーザーラベル、バーコード等のいずれかの識別表示を設けたことを特徴とする、請求項1に記載のラベルの剥離構造。
【請求項１０】
前記ラベル被着体表面に警告文字を設け、前記警告文字がラベル本体を剥す前はラベル本体により遮蔽されることを特徴とする、請求項1に記載のラベルの剥離構造。
【考案の詳細な説明】
【技術分野】
【０００１】
本考案はラベルの剥離構造に関し、特に、容器またはその他製品のラベルを取り除くための構造に関する。
【背景技術】
【０００２】
一般の飲料、調味料（醤油など）、酒の容器（瓶など）、またはその他製品、物品には、美観を向上したり、製品特色等を示したりするために、ラベル（図案、文字、商標等を含む）が貼り付けられている。このため、ラベルはその物品を示す特殊な符号ともなっている。
【０００３】
このため、酒や飲料、調味料を使用し終えたときや、製品の使用完了後に廃棄するとき、前記ラベルを剥離せずにおくと、後に不徳なメーカーや人物により、その容器に偽の酒やコピー飲料等を再度充填するなどして利用されることがあり、メーカーと消費者の間で紛糾やその他法律的責任問題が発生する等の問題がある。
【０００４】
しかしながら、各ラベルを逐一剥離することは、消費者の協力の意思と客観上剥離が容易か等の問題に関わってくる。このため、長い間にわたって、ラベルの剥離は主観的または客観的共に実務上困難であった。
【考案の開示】
【考案が解決しようとする課題】
【０００５】
上述の先行技術のラベル剥離が容易でないことに派生する問題について、本考案の考案者は、酒の製造販売に従事した経験において身をもって感じ入り、研究開発を決意するに至ったものであり、本考案の目的は、剥離しやすいラベルの構造を提供することにある。        
【課題を解決するための手段】
【０００６】
先行技術が用いる技術手段の問題を解決するため、本考案のラベル剥離構造は、ラベル被着体及びこのラベル被着体表面に貼り付けられたラベル本体を含み、主に、前記ラベル被着体とラベル本体の間にラベル本体被覆面から露出された剥離代を設け、前記剥離代の露出された部分により剥離の施力部位を形成し、且つ、剥離過程の経路で前記ラベル本体を破壊し、前記ラベルを剥離しやすくすると共に、再使用を防止する。  
【考案を実施するための最良の形態】
【０００７】
以下、本考案について更に理解を促すため、図面に基づき本考案の構造、特徴及び実施例について説明する。
【０００８】
図１及び図２に示すように、本考案のラベル剥離構造は、ラベル被着体１及び前記ラベル被着体１表面に貼り付けられたラベル本体２を含み、本考案はさらに前記ラベル被着体１とラベル本体２の間にラベル本体２被覆面から露出された剥離代３を設け、図６に示すように、前記露出された剥離代３により剥離の施力部位を形成し、且つ、剥離過程の経路で前記ラベル本体２を破壊し、前記ラベルを剥離しやすくすると共に、偽造を防止することができる。
【０００９】
図３に示すように、本考案の剥離代３のラベル本体２被覆面から露出される部分は、図１及び図２に示すように、前記剥離代３をラベル被着体１と分離した状態を形成し、剥離しやすくするほか、図３に示すように、一部をラベル被着体１に貼り付け、完全に分離された懸空状態を低減し、さらに製品の製造過程または運送過程においてうっかり接触しラベルが剥離してしまうのを防止することができる。
【００１０】
図４に示すように、前記剥離代３の露出部分は、全部を粘性が低い接着剤でラベル被着体１に貼り付け、懸空状態をなくすと同時に容易に剥離できるようにしてもよく、さらに製品の製造過程または運送過程においてうっかり接触しラベルが剥離してしまうのを防止することができる。
【００１１】
図１に示すように、本考案は剥離代３の表面にレーザーラベル３１またはその他バーコード（二次元コード等）を設け、偽造防止の識別に用いてもよい。
【００１２】
図５に示すように、本考案の前記剥離代３Ａは線状とし、幅を小さくして視覚的干渉を低減することもできる。
【００１３】
図７に示すように、本考案のラベル被着体１表面には警告文字１１を設けてもよく、前記警告文字１１はラベル本体２が剥されていないときはラベル本体２により遮蔽され、ラベル本体２を剥すと出現するようにすることができる。
【００１４】
上述をまとめると、本考案は確実に産業的利用価値を有しており、且つ、出願以前に刊行または公開使用されたことがなく、また公衆の周知となってもおらず、且つ容易に思い付くものではないため、特許の要件を満たしており、法に基づきここに実用新案登録を出願するものである。
【００１５】
上述の説明は、本考案の産業上の最良の一実施例を示したものであり、本考案の請求の範囲に基づく同等効果を持つ変化はすべて本考案の訴求する範疇に含まれるものとする。
【図面の簡単な説明】
【００１６】
【図１】本考案の剥離代を予めラベル被着体に貼り付けた状態を示す立体図である。
【図２】本考案のラベル被着体とラベル本体の間に剥離代が挟みこまれた状態の立体図である。
【図３】本考案の別の実施例のラベル被着体とラベル本体の間に剥離代が挟みこまれた状態の立体図である。
【図４】本考案のさらに別の実施例のラベル被着体とラベル本体の間に剥離代が挟みこまれた状態の立体図である。
【図５】本考案の剥離代の別の状態の立体図である。
【図６】本考案のラベルを剥離した状態の立体図である。
【図７】本考案のラベルを剥離した状態の別の立体図である。
【符号の説明】
【００１７】
１        ラベル被着体
１１      警告文字
２        ラベル本体
３        剥離代
３１      レーザーラベル
３Ａ      剥離代
【図１】
0003137013.tif 000003
【図２】
0003137013.tif 000004
【図３】
0003137013.tif 000005
【図４】
0003137013.tif 000006
【図５】
0003137013.tif 000007
【図６】
0003137013.tif 000008
【図７】
0003137013.tif 000009